(57)【要約】【課題】  厚さの増大を最低限に抑えたまま防水機能を確保し得る腕装着型電子時計を提供すること【解決手段】  腕装着型電子時計１は、前面側に開口１３を有するケース１０と、該ケース内に収容された反射型液晶表示パネル４０と、該液晶表示パネルの前面に対向するようにケースの開口１３に嵌合された導光板５０であって液晶表示パネル４０の表示領域Ｄに対向する領域よりも外側で且つ外周面５２よりも内側に位置する光入射部５７ａ，５７ｂから入った光によって反射型液晶表示パネル４０の前面を照明するもの５０と、光入射部に光を入射する光源６０とを有し、導光板５０が外周面５２においてケース１０の開口部１３の周面１９に液密に接合されている。【選択図】    図１
2005308498.tif 000002
【特許請求の範囲】
【請求項１】
前面側に開口を有するケースと、
該ケース内に収容された液晶表示パネルと、
該液晶表示パネルの前面に対向するように前記ケースの前記開口に嵌合された導光板であって前記液晶表示パネルの表示領域に対向する領域よりも外側で且つ外周面よりも内側に位置する光入射部から入った光によって前記液晶表示パネルの前面を照明するものと、
前記光入射部に光を入射する光源とを有する腕装着型電子時計であって、
前記導光板が前記外周面とケースの前記開口部の周面、もしくは前記導光板の背面外周部や外周角部と前記ケースの前記開口部の周面からフランジによって構成される導光板受け部で液密に接合されている腕装着型電子時計。
【請求項２】
前記導光板のうち前記液晶表示パネルの表示領域に対向する領域よりも外側の領域を蔽う飾り縁を更に備え、前記光入射部から前記導光板の厚さ方向に該導光板に入った光を前記導光板の延在方向に反射する反射面が該飾り縁の内面に形成されている請求項１に記載の腕装着型電子時計。
【請求項３】
前記導光板が前記液晶表示パネルの表示領域に対向する領域よりも外側で且つ外周面よりも内側において背面側に凹部を有し、該凹部内に光源が配置されている請求項１又は２に記載の腕装着型電子時計。
【請求項４】
前記導光板が前記液晶表示パネルの表示領域に対向する領域よりも外側で且つ外周面よりも内側において背面に光入射部を有し、該光入射部から背面側に離れた位置に前記光源が設けられている請求項１又は２に記載の腕装着型電子時計。
【発明の詳細な説明】
【技術分野】
【０００１】
本発明は腕装着型電子時計（以下では腕時計または電子時計ともいう）に係る。
【背景技術】
【０００２】
携帯電話や携帯情報端末等の分野において、反射性凹凸表面を備えるように表面処理された導光板を反射型ＬＣＤ（液晶表示装置）の前面側に対向・配置すると共に該導光板の側面（周面）に光源を配置することにより反射型ＬＣＤのフロントライトを形成し、導光板の側面から該導光板に入射された光を該導光板の処理表面によって反射型ＬＣＤに対する照明光にすることは提案されている（例えば特許文献１）。
【０００３】
また、ＬＥＤと該ＬＥＤの光で透過型ＬＣＤを背面から照明する導光板とにより透過型ＬＣＤのバックライトを形成すること知られており、またこの場合、小型化を図るべく、導光板の周縁部の背面側に光入射部を設けると共にＬＥＤを光入射部の背面側に配置することも提案されている（例えば特許文献２）。
【０００４】
しかしながら、携帯電話や携帯情報端末は、雨等の悪天候下における屋外での使用が一般的には想定されないことから、上記特許文献１や２では、液晶の前面側を防水加工することは一切想定されていない。
【０００５】
例えば、特許文献１に開示の技術において、導光板の前に更にカバーガラスを配置して該カバーガラスとケースとの間をシールしようとすると、導光板とカバーガラスとが対向配置されることになるので、装置が厚くなるのを避け難い。なお、特許文献２のように、透過型ＬＣＤを用いる場合には、ＬＣＤ等が水にさらされるのを避けるためには、ＬＣＤの前にカバーガラスを配置する必要があり、導光板とカバーガラスとがＬＣＤを介して対向配置されて装置が厚くなる点は同様である。
【０００６】
特に、腕装着型電子時計では、通常の携帯電話や携帯情報端末と比較して厚さや平面サイズが小さいにもかかわらず、カバーガラスとケースとの間の防水の確保が望まれる。
【特許文献１】特開２００３−２２９０１３号公報
【特許文献２】特開２００４−３１１８０号公報
【発明の開示】
【発明が解決しようとする課題】
【０００７】
本発明は前記諸点に鑑みなされたものであって、その第一の目的は、厚さの増大を最低限に抑えたまま防水機能を確保し得る腕装着型電子時計を提供することにある。
【０００８】
本発明の第二の目的は、平面サイズ（径）を最低限に抑え得る腕装着型電子時計を提供することにある。
【０００９】
本発明の第三の目的は、平面サイズ（径）を最低限に抑えた状態で、良好な外観を備え得、且つ光源からの光を最大限に利用し得る腕装着型電子時計を提供することにある。
【課題を解決するための手段】
【００１０】
本発明の腕装着型電子時計は、前記第一及び第二の目的を達成すべく、前面側に開口を有するケースと、該ケース内に収容された反射型液晶表示パネルと、該液晶表示パネルの前面に対向するようにケースの前記開口に嵌合された導光板であって液晶表示パネルの表示領域に対向する領域よりも外側で且つ外周面よりも内側に位置する光入射部から入った光によって反射型液晶表示パネルの前面を照明するものと、前記光入射部に光を入射する光源とを有する腕装着型電子時計であって、導光板が前記外周面においてケースの前記開口部の周面に液密に接合されている。
【００１１】
本発明の腕装着型電子時計では、液晶表示パネルの前面に対向するように配置された導光板が液晶表示パネルの表示領域に対向する領域よりも外側で且つ外周面よりも内側に位置する光入射部から入った光によって液晶表示パネルの前面を照明するので、導光板の外周面が液晶パネルの照明に係らないから、該外周面がシールに利用され得る。また、本発明の腕装着型電子時計では、導光板が外周面においてケースの開口部の周面に液密に接合されているので、導光板自体が、ケースと協働して、内部の防水を確保し且つ液晶表示パネルの表示面等を機械的に保護し得る。その結果、導光板とは別にカバーガラスを設ける必要がないので、腕装着型電子時計の厚さが最低限に抑えられ得る。また、導光板の光入射部が外周面ではなくて外周面よりも内側に設けられているので、導光板の外周面とケースの内周面との間に光源を配置する必要がないから、導光板の平面サイズと比較してケースの平面サイズを最低限に抑えることが可能になる。なお、液晶パネルは、反射型液晶表示パネルであっても構わない。
【００１２】
ここで、導光板及びケースの材料に応じて相互に液密に且つ機械的に十分に強固に相互に固着され得る限り、接合は、溶着でも、接着でも、弾性部材を介した圧入でも良い。導光板及びケースの材料は、典型的には樹脂からなるけれども、導光板の材料はガラス等の他の材料であってもよく、ケースの材料も金属等他の材料であってもよい。
【００１３】
本発明の腕装着型電子時計では、典型的には、導光板のうち液晶表示パネルの表示領域に対向する領域よりも外側の領域を蔽う飾り縁を更に備え、光入射部から導光板の厚さ方向に該導光板に入った光を導光板の延在方向に反射する反射面が該飾り縁の内面に形成されている。反射面は、飾り縁の内面自体に形成されていても、飾り縁の内面と導光板のうち該内面に対面する対面表面部分との間に反射層が形成されていても、導光板のうち前記対面表面部分に形成された反射面（全反射面を含む）における反射効率を高めるような補助面ないし層が飾り縁の内面に形成されていてもよい。
【００１４】
この場合、飾り縁が、導光板のうち液晶表示パネルの表示領域に対向する領域よりも外側の領域を蔽う目隠しとなることによって外観を確保し得るだけでなく、光入射部から導光板に入った光を導光板の延在方向に反射することにより入射光の利用効率を高め得る。
【００１５】
本発明の腕装着型電子時計では、
（１）導光板が液晶表示パネルの表示領域に対向する領域よりも外側で且つ外周面よりも内側において背面側に凹部を有し、該凹部内に光源が配置されていても、
（２）導光板が液晶表示パネルの表示領域に対向する領域よりも外側で且つ外周面よりも内側において背面に光入射部を有し、該光入射部から背面側に離れた位置に光源が設けられていてもよい。
後者の場合、光源が光入射部のある背面から離れている代わりに該背面の光入射面に密接していてもよい。
【００１６】
なお、本発明の腕装着型電子時計において、典型的には、光源はＬＥＤの如き固体発光素子からなる。
【発明を実施するための最良の形態】
【００１７】
次に、本発明の好ましい一実施の形態のいくつかを添付図面に示した好ましい実施例に基づいて説明する。
【実施例１】
【００１８】
図１には、本発明による好ましい第一実施例の腕装着型電子時計１が示されている。腕時計の形態の電子時計１は、両端１１，１２で開口した樹脂製のケース１０を有する。ケース１０は時計１の厚さ方向Ｚの長さが短い筒状であればＺ方向に垂直な平面での形状はどのようなものでもよい。ここでは、簡単のために、円形であると想定する。ケース１０は、前面側開口１３の近傍において半径方向内向きに突出したほぼ環状のフランジ部１４を備える。ケース１０内のうちフランジ部１４よりも背面側には、ムーブメントを構成する各種部品（図示せず）が実装された主基板３０や反射型の液晶表示パネル４０や電池３２が配設されている。
【００１９】
反射型液晶表示パネル４０は、ケース１０のフランジ部１４と主基板３０との間に位置するパネル枠４１によって支持されている。液晶表示パネル４０の表示領域ないし表示範囲Ｄは、上下の偏光板４６の延在領域よりも少し狭い。パネル枠４１は、内周側フランジ部４２で反射型液晶パネル４０のガラス基板４３を前面の外周縁部及び中央部の背面側で支持可能で、ガラス基板４３の端子と主基板３０との間には、主基板３０から反射型液晶パネル４０への給電及び信号の入力と反射型液晶パネル４０のパネル枠４１への固定とを兼ねた導電ゴムの如きコネクタないし接続部材４４が設けられている。なお、組立状態においては、パネル枠４１及び電池枠３３は主基板３０を間に挟んだ状態で、取付バネ（図示せず）により、相互に一体的に固定される。パネル枠４１は、また、周方向の一箇所に上下方向Ｚに延びた貫通孔４５を備える。
【００２０】
電池３２は、主基板３０の背面側に配設された電池枠３３の電池収容凹部３４に収容されている。ケース１０の背面側開口１５は裏蓋１６で閉じられている。
【００２１】
フランジ部１４の前面側には段部１７が形成され、ほぼ環状のフランジ部１４は、パネル枠４１の貫通孔４５に対応する周方向の部位１８で切欠かれている。ケース１０の前面側開口１３には、カバーガラスとしても働く導光板５０すなわち導光板としても働くカバーガラス５０（以下では、単に、導光板５０又はカバーガラス５０ともいう）が嵌着されている。
【００２２】
より詳しくは、導光板ないしカバーガラス５０は、ケース１０の前面側開口１３の形状に実質的に一致する外形を備えたほぼ円板状の透明樹脂板５１からなり、外周面５２でケース１０の開口１３の周面１９で接合している。また、カバーガラス５０の外周部背面である段差部５４の段差面５５や外周角部とケース１０のフランジ部１４の段差部１７から周面１９によって構成される受け部で接合してもよい。ここで、カバーガラス５０は、時計分野の通常の用語に従って「ガラス」と呼ぶけれども、その材料は、典型的には、アクリルやポリカーボネートの如き透明な樹脂からなり、例えば、溶着ないし接着によって、外周面５２がケース１０の開口１３の周面１９に液密に固着されている。但し、ケース１０のとの間に液密な接合すなわち防水シールが確保され得る限り、カバーガラス５０の材料は、ガラス等であってもよい。なお、カバーガラス５０との間に液密な接合が確保され得る限り、ケース１０も、樹脂の代わりに金属等他の材料製であってもよい。
【００２３】
なお、導光板５０の外周面５２とケース１０の周面１９との間の溶着等によって、導光板５０がケース１０に強固に固着されることにより、導光板５０が内側の液晶表示パネル４０等を機械的に保護するカバーガラスとして機能し得る。
【００２４】
カバーガラス５０は、背面５３の外周部にケース１０のフランジ部１４の段差部１７と相補的形状の小さな段差部５４を備え、該段差部５４がケース１０の段差部１７に丁度嵌っている。ここで、ケース１０の前面側開口１３とフランジ部１４とが、導光体５０の受け部になっている。
【００２５】
カバーガラス５０の段差部５４の段差面５５は、更に、背面５３の外周部のうちフランジ部１４の切欠部１８に重なる箇所において、液晶表示パネル４０の表示領域ないし表示範囲Ｄに対応する領域よりも外側の範囲内で、半径方向内方に拡がった拡大段差面５６になっている。拡大段差面５６のうち外周面５２よりも内側には、ＬＥＤ受容凹部５７が形成されている。
【００２６】
カバーガラス５０は、その前面５８に表面処理が施され導光効果付与構造５９を備える。この導光効果付与構造５９は、特許文献１や特許文献２等に記載のものと同様でよく、この場合、典型的には、ＬＥＤ受容凹部５７を中心とする同心状の多数の円弧に沿って延びる凹凸部（図示せず）からなる。同心状に円弧状に延在する多数の凸部（凸条）の夫々が、一対の円弧状に延在する傾斜面からなり、典型的には、各円弧状延在凸部を形成する一対の傾斜面のうちＬＥＤ受容凹部５７に近接する側の傾斜面がカバーガラス５０の主面（背面５３又は前面５８の包絡面）に対してなす角は、該一対の傾斜面のうちＬＥＤ受容凹部５７から離間した側の傾斜面がカバーガラス５０の主面に対してなす角よりも小さい。この導光効果付与構造５９は、ＬＥＤ受容凹部５７から射出されてカバーガラス５０内を拡がって進む光の一部を該導光効果付与構造５９の形成面で反射して該反射光をカバーガラス５０の背面５３から出射させることにより反射型液晶パネル４０を照明すると共に、カバーガラス５０内を拡がって進む光の残部をＬＥＤ受容凹部５７から更に遠ざかる向きに伝播させるように反射する働きをする。なお、導光効果付与構造５９を形成する凹凸部は、円弧状に延びる代わりに直線状に延びていてもよい。その場合、直線の延在方向は、典型的には、凹部５７とケース１０の中心とを結ぶ仮想線（半径）に対して実質的に直角な方向である。反射型液晶表示パネル４０の表面をまんべんなく照明し得る限り、導光効果付与構造５９を形成する凹凸部などの形状や構造は異なっていてもよい。
【００２７】
ＬＥＤ受容凹部５７には、光源としてのＬＥＤ（発光ダイオード）６０が収容されている。ＬＥＤ６０は、その発光面６１，６２と対応する光入射部としての凹部表面５７ａ，５７ｂとの間に反射面が生じるのを最低限に抑えるべく、典型的には、発光面６１，６２が凹部５７の側面５７ａ及び底面５７ｂに実質的に密接するように凹部５７内に配設される。ＬＥＤ６０は、背面側の押え板６３を介して、バネ６４により凹部５７の底面５７ｂに押付けられている。パネル枠４１の貫通孔４５内に挿通されたバネ６４及び押え板６３は、主基板３０と押え板６３との間に配置されて、ＬＥＤ６０への給電端子としても働く。
【００２８】
ＬＥＤ６０が発光すると、ＬＥＤ６０の発光面６１から凹部５７の側面５７ａを介してカバーガラス５０内にほぼ平行な方向Ｂ１や斜め方向Ｂ２に拡がるように射出された光は、その一部が導光効果付与構造５９によって反射されて背面５３から射出されて反射型液晶パネル４０を照明する。また、光の残部は更に導光板５０に沿って拡がり、実際上、反射型液晶表示パネル４０のほぼ全域を一様に照明する。
【００２９】
ケース１０は、前面部分において、僅かに小径化された小径部２１を備え、該小径部２１には、典型的には金属製の飾り縁２０が接着により固着されている。飾り縁２０は、ケース１０の小径部２１の周面２２，円錐台状傾斜面２３及び前面２４並びにカバーガラス５０の前面５８の外周部５８ａに沿って延びる円筒状部２５、円錐台状部２６及び内向きフランジ状部２７を有する。飾り縁２０の内向きフランジ状部２７は、液晶表示パネル４０の表示領域Ｄのほぼ外縁まで延び、該表示領域Ｄよりも外側にあるケース１０のＬＥＤ受容凹部５７やＬＥＤ６０を覆い隠す目隠しとなり、外観を向上させる。また、飾り縁２０は、その内向きフランジ状部２７のうち導光板５０に対面する領域２７ａに反射面２８を備える。
【００３０】
従って、ＬＥＤ６０から凹部５７の底面５７ｂを通ってカバーガラス５０内にＢ３方向に射出された光は、その大半が、反射面２８でＢ４方向に反射されて、図１の左方に向かってカバーガラス５０内を伝播し、液晶表示パネル４０を照明する。
【００３１】
以上の如く構成された本発明による好ましい第一実施例の腕装着型電子時計１では、反射型液晶表示パネル４０の前面側に該液晶表示パネル４０を前面側から照明する導光効果付与構造５９を備えたガラス５０が設けられているので、ガラス５０自体が導光板として働いて、反射型液晶表示パネル４０による所望の表示が時計１の前面側から視認され得る。
【００３２】
また、この電子時計１では、光源としてのＬＥＤ６０が、導光板５０の背面５３側に形成されたＬＥＤ受容凹部５７内に収容されているので、ガラス５０の外周面５２を受光面として用いる必要がないから、ガラス５０が外周面５２でケース１０の前側開口１３の周面１９に液密に接合され得る。更に、この電子時計１では、ガラス５０が外周面５２でケース１０の前側開口１３の周面１９に液密に接合されているので、導光板として働くガラス５０自体が、防水効果を与え且つ内部を機械的に保護するカバーガラスとしても働き得る。その結果、導光板５０の前側に防水機能及び機械的保護機能を果たすカバーガラスを別個に設ける必要がないので、時計１の厚さを最低限に抑え得る。
【００３３】
加えて、この電子時計１では、該時計１の前部の外周部近傍において、ケース１０及びガラス５０が飾り縁２０で覆われているので、ガラス５０の外周部近傍に配置されたＬＥＤ６０やその近傍部分が、比較的美観を殺ぐような構造であっても、飾り縁２０で隠されて飾り縁２０により外観が規定され得るから、美観などを実際上考慮することなくその機能を最大限発揮する構造で形成され得る。また、この電子時計１では、飾り縁２０のうちＬＥＤ６０の近傍部分の内面に反射面２８が形成されているので、ＬＥＤ６０からの光が、飾り縁２０によって導光板として働くカバーガラス５０の中央部に効率的に伝播され得、飾り縁２０自体が液晶表示パネル４０の照明に効率的に用いられ得る。
【実施例２】
【００３４】
なお、ＬＥＤ６０は、カバーガラス５０の背面５３内に挿設される代わりに、背面５３から後方に離れたところに設けられてもよい。そのような腕装着型電子機器としての本発明による好ましい第二実施例の電子時計を図２に基づいて説明する。
【００３５】
なお、図２に示した第二実施例の電子時計１ｓにおいて、図１に示した第一実施例の電子時計１の部品や部位や要素と実質的に同様なものについては、同一の符号が付され、一部が異なるものについては、同一の符号の後に添字「ｓ」が付されている。図２の電子時計１ｓの説明に際して、実際上重複することとなる部分については、その説明を省く。
【００３６】
この電子時計1ｓでは、光源としてのＬＥＤ６０ｓが、液晶表示パネル４０よりも外側（従って液晶表示パネル４０の表示領域ないし表示範囲Ｄよりも外側）において主基板３０上に直接実装されてパネル枠４１ｓの貫通孔４５ｓ内に位置しており、導光板として働くカバーガラス５０ｓの背面５３ｓの外周縁部近傍に円形の段差部５４ｓが形成され、背面５３ｓの外周近傍部分７１のうちＬＥＤ６０ｓに対面する領域には、光入射部となる反射防止層７２が形成されている。従って、ＬＥＤ６０ｓから出た光は、貫通孔４５ｓを通ってカバーガラス５０ｓの背面５３ｓの反射防止層７２を通過してカバーガラスすなわち導光板５０ｓ内に入る。
【００３７】
電子時計１ｓでは、カバーガラス５０ｓは、円柱状の下側部分７３と円錐台状の上側部分７４とからなり、ケース１０ｓの上側開口１３の周面１９ｓは、カバーガラス５０ｓの上側部分７４の周面７５に溶着ないし接着により液密に接合されている。また、ケース１０ｓの上側小径部２１ｓの円錐台状周面２２ｓの上端は、厚さ方向Ｚに対して垂直な面内で延在する環状の上端面２４ｓになっている。
【００３８】
更に、電子時計１ｓでは、飾り縁２０ｓは、ケース１０ｓの上側小径部２１ｓの外周面２２ｓに当接・係合する最大径部２５ｓと、ケース１０ｓの上端面２４ｓに当接する環状面７７及びカバーガラス５０ｓの円錐台状の上側部分７４の円錐台状面７６に当接する円錐台状面７８を備えた本体部８０と、カバーガラス５０ｓの上側表面５８ｓの外周部分８１に当接する環状面８２を備えた内側フランジ状部分８３とを有し、ケース１０ｓ及びカバーガラス５０ｓに接着されている。ＬＥＤ６０ｓに対面する位置にある飾り縁２０ｓの円錐台状面７８には反射面２８ｓが形成されている。なお、ガラス５０ｓの外周縁部を隠す一応の目隠しとして働き得る限り、飾り縁２０ｓのうち、内側フランジ状部分８３は、なくてもよい。
【００３９】
従って、ＬＥＤ６０ｓから出た光は、反射防止層７２を通ってＢ５方向に導光板５０ｓ内に入り、その大半が反射面２８ｓでＢ６方向に反射されて導光板５０ｓの中央部に向かって進む。
【００４０】
以上の如く構成された本発明による好ましい第二実施例の腕装着型電子時計１ｓでも、前述の電子時計１と同様に、反射型液晶表示パネル４０の前面側に該液晶表示パネル４０を前面側から照明する導光効果付与構造５９を備えたガラス５０ｓが設けられているので、ガラス５０ｓ自体が導光板として働いて、反射型液晶表示パネル４０による所望の表示が時計１の前面側から視認し得る。
【００４１】
また、この電子時計１ｓでは、光源としてのＬＥＤ６０ｓが、導光板５０の背面５３ｓ側において外周縁部７１に形成された反射防止層７２に対面するように主基板３０に実装されているので、ガラス５０ｓの外周面７５を受光面として用いる必要がないから、ガラス５０ｓが外周面７５でケース１０ｓの前側開口１３の周面１９ｓに液密に接合され得る。更に、この電子時計１ｓでも、電子時計１と実際上同様に、ガラス５０ｓが外周面７５でケース１０ｓの前側開口１３の周面１９ｓに液密に接合されているので、導光板として働くガラス５０ｓ自体が、防水効果を与えるカバーガラスとしても働き得る。その結果、導光板５０ｓの前側に防水機能を果たすカバーガラスを設ける別個に必要がないので、時計１の厚さが増大するのを避け得る。
【００４２】
加えて、この電子時計１ｓでは、電子時計１と同様に、該時計１ｓの前部の外周部近傍において、ケース１０ｓ及びガラス５０ｓが飾り縁２０ｓで覆われているので、ガラス５０ｓの外周部近傍に位置する液晶表示パネル４９以外の部品（例えばＬＥＤ６０ｓ等）が、比較的美観を殺ぐような構造であっても、目隠しとして働く飾り縁２０で隠され得るから、美観などを実際上考慮することなくその機能を最大限発揮する構造で形成され得る。また、この電子時計１ｓでは、電子時計１の場合とほぼ同様に、飾り縁２０ｓのうちＬＥＤ６０ｓからの光が直接あたるガラス５０ｓの領域７６に対面する部分７８に反射面２８ｓが形成されているので、ＬＥＤ６０ｓからの光が、導光板として働くカバーガラス５０ｓの中央部に飾り縁２０ｓによって効率的に伝播され得、飾り縁２０ｓ自体が液晶表示パネル４０の照明に効率的に利用され得る。
【００４３】
更に、この電子時計１ｓでは、光源としてのＬＥＤ６０ｓが、導光板を兼ねたカバーガラス５０ｓの背面５３ｓ側において外周縁部７１に形成された反射防止層７２に対面するように主基板３０に実装されているので、カバーガラス５０ｓの外周面よりも外に更にＬＥＤを配置する必要がないだけでなく該ＬＥＤの配置に伴う電気接続端子や電気配線の配設に係るスペースをカバーガラス５０ｓの外周面よりも外に採る必要がないから、厚さ方向Ｚに垂直な面内における時計１ｓのサイズを最低限に抑えることが可能になる。
【００４４】
また、ＬＥＤ６０ｓは、基板３０に直接実装される代わりに、例えば、ガラス５０ｓの反射防止層７２の近傍に配置されても、該反射防止層７２の領域に直接固着されてもよい。後者の場合、反射防止層はなくてもよい。また、反射防止層７２のある領域がＬＥＤ６０ｓに近接するように下方に延在されていてもよい。
【図面の簡単な説明】
【００４５】
【図１】本発明による好ましい第一実施例の腕装着型電子時計の断面説明図。
【図２】本発明による好ましい第二実施例の腕装着型電子時計の断面説明図。
【符号の説明】
【００４６】
１，１ｓ  電子時計
１０，１０ｓ  ケース
１３  前面側開口
１６  裏蓋
１９，１９ｓ  周面
２０，２０ｓ  飾り縁
２８，２８ｓ  反射面
３０  主基板
３２  電池
３３  電池枠
４０  液晶表示パネル
４１，４１ｓ  パネル枠
４５，４５ｓ  貫通孔
５０，５０ｓ  導光板として働くカバーガラス
５２，７５  外周面
５３，５３ｓ  背面
５８，５８ｓ  前面
５９  導光効果付与機構
６０，６０ｓ  ＬＥＤ（光源）
７８  円錐台状面
Ｂ１，Ｂ２，Ｂ３，Ｂ４  光の進む方向
Ｄ  表示領域
Ｚ  厚さ方向
【図１】
2005308498.tif 000003
【図２】
2005308498.tif 000004